(57)【特許請求の範囲】
【請求項１】
指針と、指針に指し示される複数の目盛と、を備える計器装置であって、前記複数の目盛を表面側に備え、かつ、光源からの光が入射する光入射部を備え、光入射部から入射した光を導光して前記複数の目盛から出射させる導光体と、前記導光体の裏面と当接し、前記導光体が導光する光を反射する光反射部と、を備え、
前記光反射部は、前記導光体と当接する表示盤上に形成された所定の色彩の層であり、前記入射した光を導光する導光方向に沿って並ぶ、第１の領域と、前記第１の領域よりも明度が暗い色であり前記第１の領域よりも光を反射しない第２の領域とを備える、
ことを特徴とする計器装置。
【請求項２】
前記導光体の前記目盛以外の領域を覆い隠す覆い部をさらに備える、ことを特徴とする請求項１に記載の計器装置。
【発明の詳細な説明】
【技術分野】
【０００１】
本発明は、例えば、自動車や自動二輪車等の車両、船舶、建設機械等の乗り物に搭載される計器装置に関するものである。
【背景技術】
【０００２】
前記の乗り物に搭載される計器装置は、見栄えがよく視認性に優れていることが好ましい。特許文献１には、表示盤の構成に工夫を凝らすことで、見栄えがよく視認性に優れた計器装置が開示されている。この計器装置は、発光ダイオードと、表示盤上に設けられ発光ダイオードから出射された光を導く導光体とを備えている。導光体には、導いた光を反射して外部へ出射する複数の反射面（凹部）と、それぞれの反射面に相対する位置に設けられた複数の目盛（凸部）とが形成されている。この目盛から出射された光が視認されることで、計器装置の表示に立体感を持たせることができる。
【先行技術文献】
【特許文献】
【０００３】
【特許文献１】特開２００７−５２０３２号公報
【発明の概要】
【発明が解決しようとする課題】
【０００４】
しかしながら、特許文献１に開示された計器装置では、出射する光量が目盛ごとに異なって不均一になったり、１つの目盛でも出射する光量が不均一になったりして、見栄えが悪い場合があった。
【０００５】
本発明は上記問題点に鑑みてなされたものであり、見栄えを改善した計器装置を提供することを目的とする。
【課題を解決するための手段】
【０００６】
上記目的を達成するため、本発明に係る計器装置は、指針と、指針に指し示される複数の目盛と、を備える計器装置であって、前記複数の目盛を表面側に備え、かつ、光源からの光が入射する光入射部を備え、光入射部から入射した光を導光して前記複数の目盛から出射させる導光体と、前記導光体の裏面と当接し、前記導光体が導光する光を反射する光反射部と、を備え、前記光反射部は、前記導光体と当接する表示盤上に形成された所定の色彩の層であり、前記入射した光を導光する導光方向に沿って並ぶ、第１の領域と、前記第１の領域よりも明度が暗い色であり前記第１の領域よりも光を反射しない第２の領域とを備える。
【発明の効果】
【０００９】
本発明に係る計器装置によれば、出射する光量が目盛ごとに異なって不均一になることを防止又は軽減できるので、見栄えが改善されている。
【図面の簡単な説明】
【００１０】
【図１】本発明の実施形態に係る計器装置の正面図。
【図２】本発明の実施形態に係る計器装置の分解斜視図。
【図３】本発明の実施形態に係る計器装置における表示盤の平面図。
【図４】本発明の実施形態に係る計器装置における導光体の斜視図。
【図５】本発明の実施形態に係る計器装置における導光体を示した拡大図であり、（ａ）は図４中の矢視Ｖａ−Ｖａで示した側面図、（ｂ）は図５（ａ）中の矢視ｂ−ｂで示した平面図。
【図６】本発明の実施形態に係る計器装置における導光体を示した拡大図であり、（ａ）は図４中の矢視ＶＩ−ＶＩで示した斜視図、（ｂ）は図６（ａ）中の矢視ｂ−ｂで示した平面図。
【図７】本発明の実施形態に係る計器装置における表示盤と導光体とを重ね合わせた様子を示した平面図。
【発明を実施するための形態】
【００１１】
以下、本発明の実施形態に係る計器装置を図面を参照して説明する。図１は本発明の実施形態に係る計器装置１の正面図、図２は本発明の実施形態に係る計器装置１の分解斜視図を示している。
【００１２】
図１に示すように、計器装置１は、種々の計器を内部に収容する計器用筐体１０を備えている。このように外殻を計器用筐体１０により形成された計器装置１は、例えば自動車の運転席前方に据え付けられる。計器用筐体１０は、前面（ユーザと対向する面）に第１の表示窓１３、及び第２の表示窓１４が形成されている。第１の表示窓１３及び第２の表示窓１４は、計器用筐体１０の前面にあけられた開口に、例えばアクリルガラス等の透明な合成樹脂が設けられて形成されている。ユーザは、第１の表示窓１３及び第２の表示窓１４から計器用筐体１０の内部に収容された計器を視認することができる。ユーザは、例えば、第１の表示窓１３から速度計を、第２の表示窓１４からエンジンの回転速度計を視認することができる。
【００１３】
図２に示すように、計器用筐体１０（図１）は、前面側を構成する前面カバー１１と、後面側を構成する後面カバー１２とを有している。この前面カバー１１と後面カバー１２とが嵌め合わされることで、種々の計器を収容するための空間が内部に形成される。
【００１４】
計器用筐体１０には、計量値を表わす文字等が印刷された表示盤２０と、表示盤２０上を回転して計量値を指し示す指針１５と、複数の目盛（凸部）が表面上に形成された導光体３０と、導光体３０を覆う遮光体４０とが収容されている。なお、表示盤２０は、後面カバー１２に載置され、後面カバー１２に収容された駆動機構等の機器類を覆う。
【００１５】
図３は、本発明の実施形態に係る計器装置１における表示盤２０の平面図である。表示盤２０は、計量値等を表示する第１の表示部２１及び第２の表示部２２を有している。第１の表示部２１は、例えば、速度を表わす数字が周方向に印字されている。また、第２の表示部２２は、例えば、エンジンの回転速度を表わす数字が周方向に印字されている。また、表示盤２０には、第１の表示部２１及び第２の表示部２２の外周に接する（外周を囲む）、リング状の光量調整領域２３（光反射部）が印刷等によって形成されている。この光量調整領域２３は、周方向（光の導光方向）に複数の領域が配列されている。本実施形態において、光量調整領域２３は、例えば白色又は白色に近い色で塗り潰された反射領域２３ａ（略全反射する領域である。）と、反射領域２３ａの色よりも明度の低い色（例えば灰色）で塗り潰された半反射領域２３ｂ（反射領域２３ａよりも光を吸収しない領域である。）と、半反射領域２３ｂよりも明度の低い色（例えば黒色）で塗り潰された吸収領域２３ｃ（反射領域２３ａ及び半反射領域２３ｂよりも光を吸収しない領域である。）とから構成されている。光量調整領域２３は、複数の色を塗り分けたか、複数の色を重ねて印刷して表示盤２０上に形成される。
【００１６】
また、第１の表示部２１上及び第２の表示部２２上に設置する導光体３０の光入射体（図４）を差し込むための開口や、あるいは切欠き（以下、両者を合わせて導光体差込口２４と記す）が、表示盤２０に複数箇所、形成されている。本実施形態では、導光体差込口２４は、第１及び第２の表示部２２の周囲に４箇所ごと、合計８箇所形成されている。
【００１７】
また、表示盤２０は、第１の表示部２１及び第２の表示部２２の中央に、文字盤の後方に配された指針軸（不図示）に指針１５を取付けるための指針差込口２５が形成されている。なお、光量調整領域２３の作用、効果については後述する。
【００１８】
指針１５は、表示盤２０の後方に収容された指針軸（不図示）と嵌合するとともに、駆動機構による駆動により表示盤２０上を回転する。指針１５は、計量データに基づいて回転し、表示盤２０に記された計量値を指し示す。
【００１９】
図４は、本発明の実施形態に係る計器装置１における導光体３０の斜視図である。導光体３０は、リング状をなし、後面カバー１２（図２）に設けられたフック（不図示）が係止部３１に引っ掛けられ表示盤２０の各光量調整領域２３（図３）上に固定される。光量調整領域２３と導光体３０の裏面とは当接する。導光体３０は、例えばポリカーボネード等の透明な合成樹脂から形成されている。導光体３０には、その表面に、周方向に所定の間隔で第１の凸目盛部３２、及び第２の凸目盛部３３が形成されている。第１の凸目盛部３２は、第２の凸目盛部３３よりも大きく、表示盤２０に印刷された数字に対応する目盛として機能する。例えば、第１の表示窓１３（図１）から視認される箇所に設置された導光体３０の第１の凸目盛部３２は、表示盤２０に印字された数字０、２０，４０・・・に対応する目盛として機能する。第２の凸目盛部３３は、隣接する第１の凸目盛部３２間を補間する目盛として機能する。例えば、図１に示した第１の表示窓１３から視認される箇所に設置された導光体３０は、第２の凸目盛部３３が１０、３０、５０・・・・に対応する目盛として機能する。
【００２０】
導光体３０は、透明な合成樹脂等を材料として形成されており、図４に示すようにリング状に形成された本体部３０ｂと、本体部３０ｂの外周面から突出形成されたフランジ部３０ｃを有している。本体部３０ｂ及びフランジ部３０ｃの図４中の下面は面一となるように形成されている。また、本体部３０ｂの上面はフランジ部３０ｃの上面よりも高く、両者の間に段差が生じている。導光体３０は、外部からの光を入射させ、入射した光を主に本体部３０ｂにおいて周方向に導光する。なお、フランジ部３０ｃは、導光体３０全体の光の伝播効率を高めるための補助導光体として機能する。そして、導光体３０は導光した光を第１の凸目盛部３２、及び第２の凸目盛部３３から出射し、ユーザに第１及び第２の凸目盛部３３を発光した目盛として視認させる。
【００２１】
図４に示すように、導光体３０は、光源５０に向けて突出形成された第１の光入射体３４、及び第２の光入射体３５を有している。導光体３０は、第１の光入射体３４及び第２の光入射体３５が表示盤２０（図３）の対応する導光体差込口２４に差し込まれた状態で、後面カバー１２（図２）に固定されている。表示盤２０の各導光体差込口２４の奥には、例えばＬＥＤ（Light Emitting Diode）からなる光源５０が設けられている。そのため、第１の光入射体３４の突端面３４ｃ、及び第２の光入射体３５の突端面３５ｂは、光源５０と対向する。これにより、光源５０から出射された光を、第１の光入射体３４の突端面３４ｃ、及び第２の光入射体３５の突端面３５ｂから入射させることができる。
【００２２】
第１の光入射体３４は、図４中の下方に向けて突出した突出部３４ａと、突出部３４ａから屈曲して導光体３０本体と接続する接続部３４ｂとから構成されている。第１の光入射体３４には、突出部３４ａの突端面３４ｃから光が入射する。入射した光は、導光体３０内部で反射を繰り返しながら、図４中の矢印（２点鎖線）で示すように、突出部３４ａ、接続部３４ｂを通り、導光体３０本体に導光される。本実施形態において、導光体３０は２つの第１の光入射体３４を有している。
【００２３】
第２の光入射体３５は、導光体３０本体から図４中の下方に突出形成されており、その突端面３５ｂから光が入射する。入射した光は、第２の光入射体３５の図中上部に形成された光振分面３５ａに到達する。この光振分面３５ａは、第２の光入射体３５の上部に形成された略Ｖの字の溝を構成する面であり、図中の矢印（２点鎖線）で示すように上方に導光された光を左右に振分ける機能を有する。左右に振分けられた光は、導光体３０内部で反射を繰り返しながら周方向に導光される。
【００２４】
次に、導光体３０の構造詳細について説明する。図５は、本発明の実施形態に係る計器装置１における導光体３０を示した拡大図であり、（ａ）は図４中の矢視Ｖａ−Ｖａで示した側面図、（ｂ）は図５（ａ）中の矢視ｂ−ｂで示した平面図である。また、図６は、本発明の実施形態に係る計器装置１における導光体３０を示した拡大図であり、（ａ）は図４中の矢視ＶＩ−ＶＩで示した斜視図、（ｂ）は矢視ｂ−ｂで示した平面図である。
【００２５】
図５（ａ）（ｂ）に示すように、導光体３０の裏面には、第１の凸目盛部３２、及び第２の凸目盛部３３のそれぞれに相対する位置に断面がＶ字状に形成されたＶ字溝３６が設けられている。Ｖ字溝３６は、導光された光の導光方向を横切るように延びている。図５（ａ）の矢印で示すように、Ｖ字溝３６を形成する面は、導光体３０の周方向に導光された光を第１の凸目盛部３２、あるいは第２の凸目盛部３３に向けて反射する反射面として機能する。これにより、第１の凸目盛部３２及び第２の凸目盛部３３から光を出射させることができ、ユーザに発光した目盛として視認させることができる。
【００２６】
なお、Ｖ字溝３６は、第１の凸目盛部３２及び第２の凸目盛部３３に相対する位置に形成されている。このため、第１及び第２の凸目盛部３２，３３を見たとき（特に斜めから見たとき）、Ｖ字溝３６が不可避的に第１の凸目盛部３２及び第２の凸目盛部３３の背面３２ａ，３３ａに映りこみ、ユーザに視認される。そのため、第１の凸目盛部３２及び第２の凸目盛部３３の背面（指針１５を基準としたときの後側の面）３２ａ，３３ａに映りこむＶ字溝３６が不自然な態様で視認されないことが好ましい。そこで、図５（ａ）（ｂ）に示すように、導光体３０に形成されたＶ字溝３６は、その一端が導光体３０の外周面３０ａにまで到達するように形成されている。すなわち、それぞれのＶ字溝３６は、本体部３０ｂとフランジ部３０ｃとに連続的に形成されている。この結果、Ｖ字溝３６は、導光体３０の厚み方向において、第１の凸目盛部３２、あるいは第２の凸目盛部３３と直接対向する部位（本体部３０ｂ）と直接対向しない部位（フランジ部３０ｃ）を有している。これにより、ユーザは、第１の凸目盛部３２及び第２の凸目盛部３３の背面３２ａ，３３ａの全長にわたって映りこんだＶ字溝３６を視認することができ、不自然さを感じることがない。一方、Ｖ字溝３６が導光体３０の外周面３０ａにまで達しない状態であると、第１の凸目盛部３２及び第２の凸目盛部３３の背面３２ａ，３３ａの一部の範囲のみにＶ字溝３６が映りこみ、見栄えが劣る。
【００２７】
また、図６（ａ）（ｂ）に示すように、導光体３０には、第１の光入射体３４に最も近い第１の凸目盛部３２を挟み込むように、導光体３０の側面（外周面）上に、複数の溝が並列した第１の反射溝群３７、及び第２の反射溝群３８が形成されている。第１の反射溝群３７、及び第２の反射溝群３８は、導光する光の導光方向に沿って第１の凸目盛部３２を挟んで並んで形成されている。本実施形態では、第１の反射溝群３７及び第２の反射溝群３８は、３つの反射溝が並列して形成されている。図６（ｂ）の矢印で示すように、第１の反射溝群３７は、導光体３０内部で導光された光の一部を第１の光入射体３４側へ反射する。また、第２の反射溝群３８は、導光体３０内部で導光された光の一部を第１の凸目盛部３２側へ反射する。
【００２８】
ここで、第１の反射溝群３７、及び第２の反射溝群３８が奏する作用、効果について説明する。第１の反射溝群３７及び第２の反射溝群３８が導光体３０に形成されていない場合、導光体３０内部で導光された光の一部は、Ｖ字溝３６の第１反射面３６ａで第１の凸目盛部３２へ反射される。なお、第１反射面３６ａは、光の進行を遮るように形成されているため、第１の凸目盛部３２へ反射される光の量は比較的多い。これに対し、光が進行する方向に背をむけるようにして形成された第２反射面３６ｂから第１の凸目盛部３２側へ反射される光の量は、第１反射面３６ａで反射される光の量よりも少ない。そのため、第１の凸目盛部３２から出射される光は不均一なものとなり、ユーザに第１の凸目盛部３２の発光にムラがあると認識されてしまう。
【００２９】
一方、本実施形態で説明する導光体３０のように、第１の反射溝群３７が形成されていると、第１反射面３６ａで第１の凸目盛部３２へ反射されるはずの光の一部が、第１の反射溝群３７により第１の光入射体３４側（導光方向の進行方向と反対側）へ反射される。そのため、第１の反射溝群３７が形成されていない導光体３０を用いた場合と比べ、第１反射面３６ａから第１の凸目盛部３２へ反射される光の量は少なくなる。また、導光体３０に第２の反射溝群３８が形成されていることにより、第２反射溝群から第１の凸目盛部３２側（Ｖ字溝３６側であって、導光方向の進行方向と反対側）へ光が反射される。この反射された光は、Ｖ字溝３６の第２反射面３６ｂにも到達する。そのため、第２の反射溝群３８が形成されていない導光体３０を用いた場合と比べ、第２反射面３６ｂから第１の凸目盛部３２へ反射される光の量は多くなる。
【００３０】
このように、本実施形態では、第１の反射溝群３７及び第２の反射溝群３８を形成することにより、Ｖ字溝３６の第１反射面３６ａで反射する光の量を少なくし、第２反射面３６ｂで反射する光の量を多くすることができる。これにより、第１の凸目盛部３２を照射する光を均一化することが可能となる。つまり、本実施形態では、１つの目盛において出射する光量が不均一になることが防止又は軽減され、見栄えが改善されている。また、第１の反射溝群３７及び第２の反射溝群３８は、第１の光入射体３４近傍の第１の凸目盛部３２について形成されている。第１の凸目盛部３２は、照射される光量が多く、不均一性が出やすいので、この部分に第１の反射溝群３７及び第２の反射溝群３８を設けることによって、１つの目盛において出射する光量が不均一になることがより良く防止又は軽減される。さらに、この結果、他の目盛との出射光量の調和を図り、全体の照明バランスを整えることができる。
【００３１】
遮光体４０（覆い部）は、図１及び図２に示すように、導光体３０を覆うようにして取り付けられる。遮光体４０は、例えば黒色の合成樹脂等から形成され、導光体３０から出射される光を遮光する。遮光体４０には、導光体３０の第１の凸目盛部３２を露出させるための第１の開口４０ａと、導光体３０の第２の凸目盛部３３を露出させるための第２の開口４０ｂとが形成されている。そのため、遮光体４０に覆われた導光体３０は、第１の凸目盛部３２、及び第２の凸目盛部３３のみが視認されることになる。これにより、ユーザは、第１の凸目盛部３２、及び第２の凸目盛部３３を発光した目盛として確実に視認することができる。
【００３２】
以上のように、第１の光入射体３４及び第２の光入射体３５から入射した光は、リング状に形成された導光体３０本体の内部を進み、第１の凸目盛部３２及び第２の凸目盛部３３から出射される。そのため、第１の光入射体３４及び第２の光入射体３５の近傍は、導光される光の量は多くなる。そのため、第１の光入射体３４、あるいは第２の光入射体３５の近くにある第１の凸目盛部３２及び第２の凸目盛部３３ほど、出射する光の量が多くなりやすい。そこで、本実施形態に係る計器装置１においては、第１の凸目盛部３２及び第２の凸目盛部３３からの出射光の均一化を図るために、図３に示すように表示盤２０に、導光体３０の裏面と当接する光量調整領域２３を設けている。
【００３３】
図３に示すように、反射領域２３ａに比べて明度の低い色で塗り潰された吸収領域２３ｃ及び半反射領域２３ｂ（例えば、図７に示すように半反射領域２３ｂは、平面視した場合に、第１の凸目盛部３２（又は第２の凸目盛部３３）と重なるように対応して形成されている。）は、導光体差込口２４近傍に設定されている。なお、図７は、図面の理解を容易にするため、導光体３０を破線で示している。図７に示すように、導光体差込口２４には、導光体３０の第１の光入射体３４及び第２の光入射体３５が挿入されているため、その近傍にある導光体３０の部位では導光される光の量が多い。そのため、光量調整領域２３の導光体差込口２４近傍に吸収領域２３ｃあるいは半反射領域２３ｂを配置することで、導光体３０内部で導光されている光の一部を吸収する。これにより、本実施形態では、第１の光入射体３４及び第２の光入射体３５近傍にある第１の凸目盛部３２（又は第２の凸目盛部３３）から出射される光の量を抑制することができ、計器装置１全体として、出射される光の量が調整され、均一化することが可能となる。特に、半反射領域２３ｂは、上方にある、すなわち、平面視した場合に重なっている第１の凸目盛部３２（又は第２の凸目盛部３３）から出射する光を少なくすることができる。このように、本実施形態では、出射する光量が目盛ごとに異なって不均一になることを防止又は軽減できるので、見栄えが改善されている。なお、光量調整領域２３を構成する各領域（半反射領域２３ｂ等）は、平面視した場合に、第１及び第２の凸目盛部３２，３３を含むように、これらよりも幅広であることが好ましい（図７参照）。これにより、第１及び第２の凸目盛部３２，３３から出射する光量を容易に調整することが可能となる。
【００３４】
なお、光量調整領域２３の吸収領域２３ｃ等は、表示盤２０に印刷形成されている。そのため、第１の凸目盛部３２等からの出射光量を微調整する必要が生じた場合にも、表示盤２０の印刷態様を変えるだけでよい。さらに、遮光体４０によって、第１の凸目盛部３２及び第２の凸目盛部３３の間が隠され、各目盛部はとびとびに認識されることによって、導光体３０を介して視認される光量調整領域２３における色の変化が目立たないので、見栄えがよい。
【００３５】
また、本実施形態においては、導光体差込口２４の近傍に明度の低い領域（吸収領域２３ｃ及び半反射領域２３ｂ）を設定した。しかしながら、導光体の形状によって導光体差込口２４近傍にある目盛よりも遠くにある目盛が明るく照射される場合がある。その場合には、明度の低い領域を導光体差込口２４から離れた箇所に設定してもよい。このような変更も、光量調整領域２３が印刷により形成されているため、容易に行なうことができる。
【符号の説明】
【００３６】
１        計器装置
１０      計器用筐体
１１      前面カバー
１２      後面カバー
１３      第１の表示窓
１４      第２の表示窓
１５      指針
２０      表示盤
２１      第１の表示部
２２      第２の表示部
２３      光量調整領域
２３ａ    反射領域
２３ｂ    半反射領域
２３ｃ    吸収領域
２４      導光体差込口
２５      指針差込口
３０      導光体
３０ａ    外周面
３１      係止部
３２      第１の凸目盛部
３３      第２の凸目盛部
３４      第１の光入射体
３４ａ    突出部
３４ｂ    接続部
３５      第２の光入射体
３５ａ    光振分面
３６      Ｖ字溝
３６ａ    第１反射面
３６ｂ    第２反射面
３７      第１の反射溝群
３８      第２の反射溝群
４０      遮光体
４０ａ    第１の開口
４０ｂ    第２の開口
５０      光源
【図１】
0005287836.tif 000002
【図２】
0005287836.tif 000003
【図３】
0005287836.tif 000004
【図４】
0005287836.tif 000005
【図５】
0005287836.tif 000006
【図６】
0005287836.tif 000007
【図７】
0005287836.tif 000008